(57)【要約】      （修正有）【課題】遺体の凍結抑止、劣化抑止、変敗抑止、乾燥抑止、腐臭発生抑止等を行うことが可能な、棺に付属する装置を提供する。【解決手段】棺２１の内部に収容した遺体を２方向から囲む形態で電極２５、２６を配置し、付属装置２４内には、電場発生用電源装置１が収納され、上記電極に微弱電流交流高電圧を供給する。さらに冷却装置２８が収納されており、−７℃〜０℃の冷却空気を供給する。またさらに乾湿調整装置２９が収納されており、過度に乾燥あるいは湿潤することで遺体が損傷しないように適切な湿度を維持する。【選択図】図１
2015173908.tif 000002
【特許請求の範囲】
【請求項１】
棺に付属する装置であって、
該装置は、商用電力を電源とする変圧器からの微弱電流交流高電圧を出力する電場発生用電源装置と、
棺の内部に収容した遺体を２方向から囲む形態に配置され、前記微弱電流交流高電圧を供給される前記棺から取りはずし可能な電極を有する。
【請求項２】
請求項１の棺に付属する装置であって、
前記電極が遺体を６方向から囲む形態に配置され、一部の電極が他の何れの電極からも電気的に接続されていない、
【請求項３】
請求項１又は請求項２の棺に付属する装置であって、
さらに−７℃〜０℃の冷却空気を供給する冷却装置を有する。
【請求項４】
請求項１又は請求項２の棺に付属する装置であって、
さらに湿度調節装置を有する。
【発明の詳細な説明】
【技術分野】
【０００１】
本発明は、遺体を長期間保存するための棺に付属する装置に関する。
【背景技術】
【０００２】
死後火葬が行われるまでには葬儀等に要する時間が必要であり、その間遺体を損傷することなく安定に保存する必要がある。また、火葬施設の都合等で短時日内に火葬することができず、長期間保存せざるを得ないことがある。
【０００３】
その間、遺体は特開２０１２−２１７７０７号公報にあるように冷蔵，冷凍保存あるいはドライアイスを利用して冷蔵されるが冷蔵温度は数度の温度で行われるため、長期間保存すると内臓等が腐敗する。また、冷蔵庫内は低湿度環境であるため遺体が過度に乾燥し損傷される。
【０００４】
冷凍の場合には腐敗による遺体損傷の問題はないが、解凍が必要となり、解凍の際に遺体が損傷される。
ドライアイスを使用する冷蔵の場合、長期間保存の場合には費用が嵩むだけでなく、冷蔵・冷凍のように装置内で行わないため遺体保存の効果は限定的である。
【先行技術文献】
【特許文献】
【０００５】
【特許文献１】特開２０１２−２１７７０７号公報
【特許文献２】特開平１０−２７６７４４号公報
【発明の概要】
【発明が解決しようとする課題】
【０００６】
本出願に係る発明は、遺体の凍結抑止、劣化抑止、変敗抑止、乾燥抑止、腐臭発生抑止等を行うことが可能な,
棺に付属する装置を提供することを課題とする。
【課題を解決するための手段】
【０００７】
この課題を解決するために、遺体を収容する棺の内部に交流電場を発生させる。
電場を発生させる電極は、基本的には棺の左右側面に設けられる。
電場による効果を高めるために、棺の上下２面及び遺体の頭側及び足側の２面、計６面にも電極を設ける。
【０００８】
さらに、遺体の損傷及び腐臭の発生を防止するために柩内に消臭材を含む−５〜０℃の冷却空気を導入する装置を付加する。
【０００９】
またさらに、遺体の乾燥による損傷を防止するために柩内に湿度を調節した空気を導入する装置を付加する。
【００１０】
火葬する際には金属等の不燃物は除去する必要があるため、これらの電極は除去可能とされる。
また、取り付けられる電極及び湿潤空気あるいは消臭材を投入する装置は柩本体を損傷することなく、取り付け取り外し可能とする。
【発明の効果】
【００１１】
柩の内部に交流電場を発生させることにより、遺体の腐敗・損傷が防止され、氷結温度が低下するため、氷結による遺体の損傷が防止される。
【図面の簡単な説明】
【００１２】
【図１】本出願に係る発明の原理を示す実施例１の説明図
【図２】本出願に係る発明の実施例２の説明図
【図３】本出願に係る発明の実施例３の説明図
【図４】従来使用されている電場発生用電源装置
【発明を実施するための形態】
【００１３】
以下、この出願に係る発明の実施例を説明する。
【実施例１】
【００１４】
図１に示す実施例１により本発明の原理的構造を説明する。
この図において、（ａ）は実施例１の棺の透視正面図及び付属装置、（ｂ）は同平面図、（ｃ）は同透視右側面図、（ｄ）は同使用終了時の説明正面図、（ｅ）は同使用終了時の説明透視右側面図、（ｆ）は電極の正面図、（ｇ）は電極の右側面図である。
【００１５】
図１（ａ），（ｂ）及び（ｃ）に透視正面図を示す棺２１は、棺本体２２，棺蓋２３、付属装置２４及び電極２５を有している。
棺本体２２及び棺蓋２３は木材等の通常用いられる材料で構成されており、使用時には（ｂ）及び（ｃ）に示すように両側面に電場印加用電極２５，２６が挿入される。
付属装置４内には基本的な要素として電場発生用電源装置１が収納され、さらにれ冷却装置２８が収納され、またさらに乾湿調整装置２９が収納されている。
【００１６】
電極２５，２６はステンレス材等の適宜な材料で構成された導体板であり、棺に収めたときに違和感がないように白布等で覆われている。
【００１７】
電場発生用電源装置１として、本発明者等が特開平１０−２７６７４４号公報に示した交番高電圧微弱電流発生器を用いることができる。
図４に示したこの交番高電圧微弱電流発生器１において、塩化ビニール製のケーシング２内には変圧器３が設置されている。変圧器３の鉄心４に巻回された一次側巻線５及び二次側巻線６はエポキシ樹脂７に埋め込まれている。
一次側巻線５の端子５ａ，５ｂには、商用周波数の１００Ｖの交流電源が、ノーフューズブレーカ８及びチョークトランス９を介して接続されている。
１０はパイロットランプである。
【００１８】
二次側巻線６間は、抵抗１１を介装した短絡線１２により短絡して一極封鎖を施している。これにより、端子６ａから５ｋＶ〜１０ｋＶ、１０ｍＡ〜１００ｍＡ程度の交番高電圧微弱電流が供給される。
なお、二次側巻線６の端子６ａではない端子は大地に接地されている。
【００１９】
冷却装置８は特開２０１２−２１７７０７号公報にあるような装置であり、遺体を−７℃〜０℃に維持できるように冷却空気を供給する。また、冷却空気に芳香剤、消臭剤を含ませ、棺内の空気を吸入処理し、死臭が外部に漏出しないようにする。
【００２０】
乾湿調整装置９は過度に乾燥あるいは湿潤することで遺体が損傷しないように適切な湿度を維持する。
【００２１】
遺体は葬儀終了後火葬されるが、その場合には金属はできるだけ排除する必要があるため、電極２５及び２６は火葬前に（ｄ）及び（ｅ）に示したように取り除く必要がある。そのために、（ｆ）及び（ｇ）に示したような取り付け部材３０が設けられており、火葬前にこの取り付け部材３０を引き上げることにより、電極２５及び２６が取り除かれる。
【００２２】
機能を説明する。
マイナス温度域の電場処理領域に載置された遺体の水分及び、水分を含有する液状体、体液、溶質体、繊維質体等は、交流電場の為付着水分及び、含有水分等は分極を誘起され又、水素結合の分断により難凍結性のせ着水分及び、含有水分に改質されるため、−７℃まで冷却しても遺体が凍結しない。
【００２３】
遺体と遺体を取り琴く周辺空気の誘電率差により、マイナス温度領域の低湿度が高効率で遺体に集中する為、低湿度安定維持が持続的に一定して行われる。
【００２４】
遺体と遺体を取り巻く周辺空気の誘電率差により、遺体の界面に動電現象が発生し又、周囲のマイナス温度の効果にて遺体の腐敗菌の活性低下と増殖を抑止する事が出来劣化抑止、変敗抑止を可能とする。
【００２５】
遺体を取り巻く空間部に間欠噴射された多湿空気は、交流電場内にて分極誘起され整列配列化、湿度の均一分布化を成して乾燥抑止を可能とする。
【００２６】
交流電場内にて匂いは炭酸ガスと水分に分解され且つ、遺体を取り巻く空間部に間欠噴射された消臭空気は、臭いの分子を包含する機能を発揮して消臭効果を倍加する。
【実施例２】
【００２７】
図２に改良された他の構成を有する実施例２を示す。
この図において、（ａ）は実施例２の棺の透視正面図及び付属装置、（ｂ）は同使用時の説明透視平面図、（ｃ）は同使用時の説明透視右側面図、（ｄ）は同使用終了時の説明透視平面図、（ｅ）は同使用終了時の説明透視右側面図である。
【００２８】
この実施例では実施例１の取っ手３０及び３１を枠状に一体化している。
この枠には（ｃ）に示すように冷却用挿通孔３４，乾湿調節用挿通孔３５，電場電源用挿通孔３６が設けられている。これらの挿通孔はこの例のように出入り用を一体化することも、出入りを区分して複数とすることも適宜可能である。
電極２５及び２６は枠３３に取り付けられており、使用しないときには折り畳まれあるいは取り外される。
【００２９】
（ｂ）及び（ｃ）に示したように枠３３は棺本体２２の上縁に取り付けられ、棺蓋２３は枠３３の上に載置される。
【００３０】
（ｄ）及び（ｅ）に示したように、枠３３は火葬時には取り外され、枠を取り外された棺本体２２及び棺蓋２３は通常の形態になる。
そのため、従来からある棺本体をそのまま使用することができる。
【実施例３】
【００３１】
図３に電極を追加した構成の実施例３を示す。
この図において、（ａ）は実施例３の棺の透視正面図、（ｂ）は同使用時の説明透視平面図である。
【００３２】
この実施例では電極が棺本体の６個の面全てに設けられている。
この図においてて、電極３８は実施例２の電極２５を延長したものであり、電極３９は実施例２の電極２６を延長したものであり、延長された先端は重なり合って電気的に接続されている。また、電極４１及び電極４２は棺に頭部側及び足部側に電極３８及び電極３９と電気的に接続されることなく配置されている。
さらに、棺蓋側に電極４０が電極３８及び電極３９と電気的に接続されることなく配置されている。
【産業上の利用可能性】
【００３３】
本出願に係る発明によれば、遺体の凍結抑止、劣化抑止、変敗抑止、乾燥抑止、腐臭発生抑止等を行うことが可能であるいため、困難を伴いがちな遺体保存を有効に行うことができる。
【符号の説明】
【００３４】
１  電場発生用電源装置
２  ケーシング
３  変圧器
４  鉄心
５  一次側巻線
５ａ，５ｂ  一次側巻線の端子
６  二次側巻線
６ａ  端子
７  エポキシ樹脂
８  ノーフューズブレーカ
９  チョークトランス
１０  パイロットランプ
１１  抵抗
１２  短絡線
２１  棺
２２  棺本体
２３  棺蓋
２４  付属装置
２５，２６、３８，３９，４１，４２  電極
２８  冷却装置
２９  乾湿調整装置
３０，３１  取り付け部
３３  枠
３４  冷却用挿通孔
３５  乾湿調節用挿通孔
３６  電場電源用挿通孔
【図１】
2015173908.tif 000003
【図２】
2015173908.tif 000004
【図３】
2015173908.tif 000005
【図４】
2015173908.tif 000006